(57)【特許請求の範囲】
【請求項１】
上枠、下枠、および左右の縦枠を有する窓枠と、前記縦枠に案内されて上下スライド開閉自在に支持された少なくとも１枚の障子とを備え、
前記障子は、上框、下框、および左右の縦框を四周框組みした内部に設けられた面材を有し、当該障子の上端部左右両端には、前記縦枠を係止して上下スライド案内される係止位置と当該縦枠との係止が外れる非係止位置との間を突没移動自在に支持された係止部と、この係止部を移動操作する操作部とを有したラッチ装置が設けられ、前記操作部を操作して前記係止部を非係止位置に移動させることで、前記障子の下端部を中心にして当該障子が室内側に回動可能に構成され、
前記ラッチ装置は、前記係止部、この係止部を係止位置側に付勢する付勢手段、および前記係止部を突没移動自在に案内するケース部を有したラッチ本体と、このラッチ本体と嵌合して前記ケース部を支持可能な支持体とを有して構成され、
前記上框の上面または前記縦框の上端部には、前記ラッチ装置の支持体を上方から挿通可能かつ前記操作部を室内空間に露出させる第１挿通孔が形成され、前記縦框の見込み面または前記上框の側端部には、前記ケース部を見付け方向側方から挿通可能かつ前記係止部を見付け方向外側に突出させる第２挿通孔が形成され、
前記第１挿通孔から挿入された前記支持体と前記第２挿通孔から挿入された前記ラッチ本体のケース部とが框材の内部で嵌合されて前記ラッチ装置が取り付けられている建具。
【請求項２】
前記ラッチ装置の支持体には、前記操作部を案内する案内孔が形成されており、
前記操作部は、前記ラッチ本体を前記第２挿通孔に挿通し前記支持体を前記第１挿通孔に挿通して互いに嵌合させた状態において、前記支持体の案内孔を貫通して前記係止部に固定されている請求項１に記載の建具。
【請求項３】
前記係止部は、係止位置において前記ケース部に係合して位置決めされる請求項１または請求項２に記載の建具。
【請求項４】
前記ケース部は、前記第２挿通孔の端縁に係合する係合手段を有して形成されている請求項１から請求項３のいずれかに記載の建具。
【発明の詳細な説明】
【技術分野】
【０００１】
本発明は、建具に関し、詳しくは、障子が上下スライド開閉かつ内倒し可能に支持された上げ下げ窓等の建具に関する。
【背景技術】
【０００２】
住宅等の外壁開口部に設けられる建具（サッシ窓）として、上下に開閉可能かつ内倒し可能な障子を有した上げ下げ窓が知られており、障子の上部を縦枠に対して見込み方向に係止しかつ上下に案内するとともに、係止解除により内倒し操作可能に支持するラッチ装置が提案されている（例えば、特許文献１〜３参照）。
特許文献１〜３に記載されたラッチ装置は、ケースと、このケース内に収容されて縦枠側に突出した係合部と、この係合部を突出方向に付勢するばねと、このばねの付勢力に抗して係合部をケース内に没入操作するための操作部とを有して構成されている。そして、このラッチ装置は、障子の上部左右両端位置である上框（召合せ框）と縦框との交差部に取り付けられており、上框の左右両端部および縦框の上端部には切欠きが形成され、この切欠きにケースを挿入するとともに、ビス止め等を行うことでラッチ装置が障子に固定されるようになっている。具体的には、特許文献２のＦＩＧ．２および特許文献３のＦＩＧ．１４に示されるように、上框と縦框との交差部には、上框の上面と縦框の見込み面との両方に連続して開口した切欠きが設けられ、この切欠きに沿って縦框側から横方向にスライドされてラッチ装置が取り付けられるようになっている。
【０００３】
【特許文献１】特開２００３−４９５７３号公報
【特許文献２】米国特許第５，１３９，２９１号公報
【特許文献３】米国特許第６，１８３，０２４号公報
【発明の開示】
【発明が解決しようとする課題】
【０００４】
しかしながら、前記特許文献１〜３に記載されたような従来のラッチ装置では、ケースを挿入するために大きな切欠きを上框と縦框との交差部に跨って形成する必要があり、障子の強度が低下するか、あるいは強度低下を防止するための補強が必要になってしまうという問題がある。すなわち、障子の上端部の室内側への移動がラッチ装置の係合部で規制されているため、室外における風圧力等が面外方向から障子に作用した場合、この力が上框および縦框からケースおよび係合部を介して縦枠に伝達されることとなる。この際、上框および縦框の切欠きをケースが抉（こじ）ることで、切欠きが口を開いてしまうように変形する可能性があり、この切欠き周辺の強度低下が建具の性能（強度、気密性、水密性等）に影響を及ぼしてしまう。
【０００５】
本発明の目的は、大がかりな補強を施さなくても障子の強度を十分に確保することができる建具を提供することにある。
【課題を解決するための手段】
【０００６】
本発明の建具は、上枠、下枠、および左右の縦枠を有する窓枠と、前記縦枠に案内されて上下スライド開閉自在に支持された少なくとも１枚の障子とを備え、前記障子は、上框、下框、および左右の縦框を四周框組みした内部に設けられた面材を有し、当該障子の上端部左右両端には、前記縦枠を係止して上下スライド案内される係止位置と当該縦枠との係止が外れる非係止位置との間を突没移動自在に支持された係止部と、この係止部を移動操作する操作部とを有したラッチ装置が設けられ、前記操作部を操作して前記係止部を非係止位置に移動させることで、前記障子の下端部を中心にして当該障子が室内側に回動可能に構成され、前記ラッチ装置は、前記係止部、この係止部を係止位置側に付勢する付勢手段、および前記係止部を突没移動自在に案内するケース部を有したラッチ本体と、このラッチ本体と嵌合して前記ケース部を支持可能な支持体とを有して構成され、前記上框の上面または前記縦框の上端部には、前記ラッチ装置の支持体を上方から挿通可能かつ前記操作部を室内空間に露出させる第１挿通孔が形成され、前記縦框の見込み面または前記上框の側端部には、前記ケース部を見付け方向側方から挿通可能かつ前記係止部を見付け方向外側に突出させる第２挿通孔が形成され、前記第１挿通孔から挿入された前記支持体と前記第２挿通孔から挿入された前記ラッチ本体のケース部とが框材の内部で嵌合されて前記ラッチ装置が取り付けられていることを特徴とする。
【０００７】
ここで、開閉可能な障子（可動障子）としては、上下一対の障子（上部障子および下部障子）から構成されたもの（ダブルハング）でもよく、１枚（シングルハング）または３枚以上の障子から構成されたものでもよい。そして、建具は、可動障子の他に固定障子や固定面材等を備えて構成されていてもよい。
【０００８】
以上の本発明によれば、係止部を第２挿通孔に挿通して縦枠側に突出させ、第１挿通孔を介して室内空間に操作部を露出させることで、障子における上框と縦框の交差部に跨った大きな切欠きを形成しなくても、障子の上端部左右両端にラッチ装置を取り付け可能、かつラッチ装置を機能させることができ、大きな切り欠きが不要になることからおおがかりな補強を施さなくても、障子の強度を十分に確保することができる。
【０００９】
また、本発明の建具では、ラッチ装置をラッチ本体と支持体とに分けるとともに、支持体を第１挿通孔から挿通し、ラッチ本体を第２挿通孔から挿通して框材の内部で互いに嵌合してラッチ装置を取り付けるように構成したことで、上框と縦框の交差部に大きな切り欠きがなくても、ラッチ装置の取付および組立作業を容易に実施することができる。
【００１０】
さらに、本発明の建具では、前記ラッチ装置の支持体には、前記操作部を案内する案内孔が形成されており、前記操作部は、前記ラッチ本体を前記第２挿通孔に挿通し前記支持体を前記第１挿通孔に挿通して互いに嵌合させた状態において、前記支持体の案内孔を貫通して前記係止部に固定されていることが好ましい。
このような構成によれば、ラッチ本体と支持体とを嵌合させた状態で操作部を係止部に固定することで、ラッチ本体が支持体から抜けなくなって、ビス等によってラッチ本体と支持体とを固定しなくても取付状態を維持することができ、取付作業を容易化することができるとともに、ラッチ装置の外観意匠性を良好にすることができる。
【００１１】
さらに、本発明の建具では、前記係止部は、係止位置において前記ケース部に係合して位置決めされることが好ましい。
このような構成によれば、係止部をケース部に位置決めしてラッチ本体を組み立ててた状態で、このラッチ本体を第２挿通孔から挿入して支持体に嵌合させることができ、ラッチ装置の障子への取付作業性を容易化することができる。
【００１２】
また、本発明の建具では、前記ケース部は、前記第２挿通孔の端縁に係合する係合手段を有して形成されていることが好ましい。
このような構成によれば、ラッチ本体を第２挿通孔から挿入した際に係合手段が第２挿通孔の端縁に係合することで、ビス止めしなくてもラッチ本体を障子に固定することができ、さらに取付作業の効率化を図ることができる。
【発明を実施するための最良の形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングを省略する場合がある。
【００１６】
〔第１実施形態〕
図１は、本発明の第１実施形態に係る建具である上げ下げ窓１を示す縦断面図である。図２は、上げ下げ窓１を示す横断面図である。図３は、上げ下げ窓１における障子２０，３０の一部を拡大して示す断面図である。図４は、障子２０，３０に設けられたラッチ装置５０を示す斜視図である。図５は、ラッチ装置５０を示す分解斜視図である。
図１、図２において、上げ下げ窓１は、戸建て住宅等の建物の外壁開口部に設けられるものであって、外壁開口部に固定される窓枠１０と、この窓枠１０の内側に上下スライド開閉自在に支持された上部障子２０（室外障子）および下部障子３０（室内障子）とを備えて構成された、いわゆるダブルハングの上げ下げ窓である。
【００１７】
窓枠１０は、上枠１１、下枠１２、および左右の縦枠１３を四周枠組みして形成されており、縦枠１３には、上部障子２０および下部障子３０を各々案内する案内溝１３１，１３２が設けられ、上枠１１または縦枠１３には、上部障子２０および下部障子３０を上方に付勢する図示しないバランサが設けられている。上部障子２０および下部障子３０は、それぞれアルミ押出形材製または樹脂製の上框２１，３１、下框２２，３２、および左右の縦框２３，３３を四周框組みした内部に、ガラスパネル２４，３４を嵌め込んで構成されている。これらの上部障子２０および下部障子３０は、各々の下枠１２および縦枠１３の下端部に設けられたスライドシュー（不図示）が案内溝１３１，１３２に案内されるとともに、これらのスライドシューが直接またはワイヤ等を介してバランサに連結されることで当該障子の重量が相殺され、小さな力で開閉操作できるようになっている。
【００１８】
また、上部障子２０および下部障子３０は、それぞれスライドシューに回動自在に支持されており、図１に仮想線（二点鎖線）で示すように、各障子２０，３０の下端部を中心にして室内側に回動可能（内倒し可能）に構成されている。そして、上部障子２０および下部障子３０の上部かつ左右両端部には、ラッチ装置５０が設けられており、これらのラッチ装置５０は、各障子２０，３０の通常開閉状態においては縦枠１３の案内溝１３１，１３２を係止してスライド案内され、この係止を外すことで内倒し可能に各障子２０，３０を支持するものである。具体的に説明すると、下部障子３０は、図１に示す閉鎖位置から若干上方に開放操作して下框３２が下枠１２から外れた状態において、ラッチ装置５０による係止を解除することで内倒し操作可能になり、内倒しした状態において、縦枠１３と連結された図示しないアーム部材や、スライドシューに設けられたロック部材等によって支持されるようになっている。一方、上部障子２０は、下部障子３０を内倒しするとともに、図１に示す閉鎖位置から若干下方に開放操作して上框２１が上枠１１から外れた状態において、ラッチ装置５０による係止を解除することで内倒し操作可能になっている。なお、上部障子２０や下部障子３０は、内倒しした状態においてアーム部材やロック部材等で支持される構成としたが、これらの部材を省略してもよい。
【００１９】
ラッチ装置５０は、図３〜図５に示すように、縦框２３，３３から側方に突出して縦枠１３を係止する係止部としてのラッチボルト５１と、このラッチボルト５１を突没スライド自在に案内するケース部５２と、ラッチボルト５１をケース部５２に対して突出方向に付勢する付勢手段としてのコイルばね５３と、ケース部５２と嵌合して支持する支持体としてカバー部５４と、このカバー部５４から上方に突出するとともにラッチボルト５１に固定されてラッチボルト５１を突没操作するためのつまみ部５５とを有して構成されている。
【００２０】
ラッチ装置５０のラッチボルト５１は、全体略角棒状に形成されてケース部５２に挿入される棒状部５１１と、この棒状部５１１の先端が拡大された拡大部５１２とを有しているとともに、縦枠１３の案内溝１３１，１３２を拡大部５１２で係止して上部障子２０および下部障子３０の内倒しを規制する係止位置と、拡大部５１２と縦枠１３と係止が外れる非係止位置との間を突没移動自在にケース部５２に支持されている。また、ラッチボルト５１には、図３に示すように、ケース部５２に係合可能な係合片５１３が設けられている。この係合片５１３は、上下に弾性変形可能に構成されており、係止位置まで棒状部５１１をケース部５２に挿入した際に上方に撓んでからケース部５２に係合し、この係止位置よりもラッチボルト５１が突出することを防止できるようになっている。また、ラッチボルト５１には、棒状部５１１を上下に貫通してつまみ部５５のピン５５１を挿通し、つまみ部５５を固定するための固定孔５１４が形成されている。さらに、拡大部５１２と反対側（図３の右側）の棒状部５１１の先端には、コイルばね５３を挿通させるためのピン５１５が係止されている。なお、ピン５１５は、ラッチボルト５１と別体で成形したものを固定してもよく、またラッチボルト５１と一体で形成されていてもよい。
【００２１】
ケース部５２は、全体略角筒状に形成されてラッチボルト５１の棒状部５１１を挿通可能な筒状部５２１と、この筒状部５２１の先端側に形成されてラッチボルト５１の拡大部５１２を挿通可能に拡径された拡径部５２２とを有し、この拡径部５２２にラッチボルト５１の係合片５１３が係合可能に構成されている。さらに、筒状部５２１の上面には、つまみ部５５を挿通させる挿通孔５２３が形成され、筒状部５２１の下面には、つまみ部５５のピン５５１を挿通させる挿通孔５２４が形成されており、これらの挿通孔５２３，５２４は、ラッチボルト５１の突没移動に伴うつまみ部５５およびピン５５１の移動範囲に対応した長さ寸法を有している。また、ケース部５２の拡径部５２２先端下部には、図３に示すように、縦框２３，３３に係合可能な係合手段としての係合片５２５が設けられており、ケース部５２を縦框２３，３３の第２挿通孔２３１，３３１（後述）に挿入した状態において、係合片５２５が第２挿通孔２３１，３３１の下縁に係合され、この係合によりケース部５２が縦框２３，３３に固定されるようになっている。
【００２２】
コイルばね５３は、ラッチボルト５１の棒状部５１１先端とケース部５２の筒状部５２１底部との間に介装配置されるとともに、ラッチボルト５１をケース部５２に挿入して係合片５１３をケース部５２の拡径部５２２に係合させた状態において、圧縮力である付勢力を保持してラッチボルト５１を突出方向（図３の左側）に付勢するようになっている。従って、つまみ部５５を操作してラッチボルト５１をケース部５２内に没入させると、コイルばね５３が収縮して付勢力が増大した状態で保持され、つまみ部５５の操作を中止する（つまみ部５５から指を離す）と、コイルばね５３の付勢力によってラッチボルト５１の拡大部５１２がケース部５２の拡径部５２２から突出し、係止位置までラッチボルト５１が移動されるようになっている。
【００２３】
カバー部５４は、上框２１，３１の上面に露出して配置される上面部５４１と、この上面部５４１から下方に延びて上框２１，３１の第１挿通孔２１１，３１１（後述）に挿入される挿入部５４２と、この挿入部５４２に設けられてケース部５２の筒状部５２１を挿通可能な嵌合部５４３とを有して形成されている。また、カバー部５４の上面部５４１には、つまみ部５５を挿通させて案内する案内孔５４４が形成されており、この案内孔５４４は、ラッチボルト５１の突没移動に伴うつまみ部５５の移動範囲に対応した長さ寸法を有している。そして、カバー部５４の嵌合部５４３にケース部５２の筒状部５２１を挿通させることで、カバー部５４とケース部５２とが互いに嵌合可能になっている。
【００２４】
以上のようなラッチ装置５０では、ラッチボルト５１、ケース部５２およびコイルばね５３によってラッチ本体５６が構成され、このラッチ本体５６のケース部５２とカバー部５４とが上框２１，３１内部で嵌合されることで、ラッチ装置５０が組み立てられるとともに障子２０，３０に取り付けられるようになっている。すなわち、図４に示すように、上部障子２０および下部障子３０における上框２１，３１の上面には、カバー部５４の挿入部５４２を挿通させる第１挿通孔２１１，３１１が形成され、縦框２３，３３の見込み面には、ラッチ本体５６を挿通させる第２挿通孔２３１，３３１が形成されている。第１挿通孔２１１，３１１は、上框２１，３１の長手方向両端部から所定距離だけ離れた上面に形成され、第２挿通孔２３１，３３１は、縦框２３，３３の上端部から所定距離だけ離れて形成されており、上框２１，３１と縦框２３，３３との接合位置や角部に跨らないようになっている。
【００２５】
そして、ラッチ装置５０の取付手順としては、先ず、図５に示すように、ラッチボルト５１のピン５１５にコイルばね５３を挿通してから、ラッチボルト５１の棒状部５１１をケース部５２に挿入し、コイルばね５３をケース部５２の筒状部５２１底部に押圧した状態で、ラッチボルト５１の係合片５１３（図３）をケース部５２の拡径部５２２に係合させてラッチ本体５６を組み立てる。次に、図４に示すように、カバー部５４の挿入部５４２を第１挿通孔２１１，３１１に挿入するとともに、組み立てたラッチ本体５６を第２挿通孔２３１，３３１に挿入し、ケース部５２の筒状部５２１をカバー部５４の嵌合部５４３に挿通してラッチ本体５６とカバー部５４とを嵌合させるとともに、ケース部５２の係合片５２５を第２挿通孔２３１，３３１の下縁に係合させる。これに続いて、カバー部５４の案内孔５４４およびケース部５２の挿通孔５２３を介してつまみ部５５のピン５５１を上方からラッチボルト５１の固定孔５１４に挿入し、つまみ部５５をラッチボルト５１に固定する。
【００２６】
以上により、ラッチ本体５６とカバー部５４とが上框２１，３１内部で嵌合された状態で、ラッチ装置５０が障子２０，３０に取り付けられることとなる。そして、取り付けられたラッチ装置５０のつまみ部５５を操作することで、ラッチボルト５１の拡大部５１２をケース部５２内に没入させて非係止位置に移動させることができ、これにより拡大部５１２による縦枠１３の案内溝１３１，１３２の係止を解除して、上部障子２０および下部障子３０を内倒し操作することができるようになる。一方、内倒しされた上部障子２０および下部障子３０を室外側に回動操作すれば、ラッチボルト５１の拡大部５１２の室外側に形成された傾斜面が縦枠１３に押圧され、ラッチボルト５１がケース部５２内に没入するとともに、案内溝１３１，１３２位置まで移動されれば、コイルばね５３の付勢力によりラッチボルト５１が突出することで、拡大部５１２が案内溝１３１，１３２を係止することとなる。
【００２７】
このような本実施形態によれば、以下のような効果がある。
（１）すなわち、ラッチ装置５０がラッチ本体５６とカバー部５４とに分割可能に構成されるとともに、カバー部５４を第１挿通孔２１１，３１１から挿通し、かつラッチ本体５６を第２挿通孔２３１，３３１から挿通してから框材の内部で互いに嵌合可能に構成されているので、上部障子２０および下部障子３０における上框２１，３１と縦框２３，３３の交差部（接合部分や框材の端部）に跨った大きな切欠きを形成する必要がなくなり、障子の強度を十分に確保することができる。従って、台風等の暴風雨時において上部障子２０および下部障子３０に非常に強い風圧力や衝撃が作用した場合でも、障子２０，３０の変形や脱落を防止することができ、上框２１，３１、縦框２３，３３と、ラッチ装置５０のケース部５２およびラッチボルト５１を介して風圧力や衝撃を縦枠１３に確実に伝達して支持することができる。
【００２８】
（２）さらに、ラッチ本体５６とカバー部５４とを嵌合させた状態で、つまみ部５５のピン５５１をラッチボルト５１の固定孔５１４に挿入してつまみ部５５をラッチボルト５１に固定することで、ラッチ本体５６がカバー部５４から抜けなくなり、ビス等によってラッチ本体５６を固定しなくても取付状態を維持することができ、取付作業を容易化することができるとともに、ビス等が露出しないためラッチ装置５０の外観意匠性を良好にすることができる。
【００２９】
（３）また、ラッチ本体５６を第２挿通孔２３１，３３１から挿入した際に、ケース部５２の係合片５２５を第２挿通孔２３１，３３１の下縁に係合させることで、ビス止めしなくてもラッチ本体５６を固定することができ、さらに取付作業の効率化および外観意匠性の向上を図ることができる。
【００３０】
（４）さらに、ラッチボルト５１の係合片５１３がケース部５２の拡径部５２２に係合してラッチボルト５１が係止位置で位置決めされるので、ラッチ本体５６を組み立ててた状態でラッチ本体５６を第２挿通孔２３１，３３１から挿入してカバー部５４に嵌合させることができ、ラッチ装置５０の取付作業性を一層容易化することができる。
【００３１】
（５）また、ラッチボルト５１が拡大部５１２を有して構成され、ケース部５２が拡径部５２２を有して構成されているので、縦枠１３の案内溝１３１，１３２を拡大部５１２で係止した状態で障子２０，３０に作用する室外側からの風圧力等を、これらの拡大部５１２および拡径部５２２で確実に支持して縦枠１３に伝達することができる。
【００３２】
〔第２実施形態〕
次に、本発明の第２実施形態に係る建具におけるラッチ装置６０，６０Ａついて図６〜図８に基づいて説明する。
図６は、第２実施形態の建具における障子３０の一部を示す斜視図である。図７は、障子３０の一部を拡大して示す断面図であり、ラッチ装置６０を示す断面図である。図８は、図７とは相違するラッチ装置６０Ａが設けられた障子３０の一部を拡大して示す断面図である。
ラッチ装置６０，６０Ａは、前記第１実施形態のラッチ装置５０のようにラッチ本体５６とカバー部５４とに分割可能に構成されておらず、一体として障子２０，３０に取り付けられる点が第１実施形態と相違し、他の構成は略同様である。すなわち、ラッチ装置６０，６０Ａは、それぞれ係止部であるラッチボルト６１と、このラッチボルト６１を係止位置側（図７、８中、右側）に付勢する付勢手段であるコイルばね６３と、ラッチボルト６１を案内するケース部６２と、ケース部６２を支持しかつ操作部であるつまみ部６１１を挿通させる案内孔６４１が設けられたカバー部６４とを有して構成されている。
【００３３】
また、障子２０，３０の上框２１，３１および縦框２３，３３には、それぞれ前記第１実施形態と略同様に互いに連続しない第１挿通孔２１１，３１１および第２挿通孔２３１，３３１が形成されている。そして、ラッチ装置６０，６０Ａは、第１挿通孔２１１，３１１からケース部６２が框内部に挿入されるとともに、ラッチボルト６１の先端側が第２挿通孔２３１，３３１から縦枠１３側に突出され、カバー部６４が上框２１，３１に固定されるようになっている。具体的には、図６に示すように、ケース部６２の上部で縦框２３，３３側に切欠き６２１が形成されており、ケース部６２を第１挿通孔２１１，３１１に挿通してからラッチ装置６０，６０Ａ全体を縦框２３，３３側にスライドさせることで、ラッチボルト６１の先端側が第２挿通孔２３１，３３１から突出するようになっている。そして、ラッチ装置６０において、カバー部６４の下面には、弾性変形可能な係合手段である係合片６４２が設けられており、この係合片６４２が上框２１，３１上面に形成された被係合孔３１２に係合することでラッチ装置６０が固定されるようになっている。あるいは、ラッチ装置６０Ａにおいて、カバー部６４を上面側から貫通するビス６５を上框２１，３１に螺合することで、ラッチ装置６０Ａが固定されるようになっている。
【００３４】
このような本実施形態によれば、前記第１実施形態と略同様の効果がある。
（６）すなわち、ラッチ装置６０，６０Ａのケース部６２を第１挿通孔２１１，３１１からを挿入し、ラッチボルト６１を第２挿通孔２３１，３３１から突出させてから、カバー部６４を上框２１，３１に固定してラッチ装置６０，６０Ａが取り付けられるので、上框２１，３１と縦框２３，３３の交差部に大きな切り欠きがなくても、ラッチ装置６０，６０Ａの取付作業を容易に実施することができる。
【００３５】
（７）また、ラッチ装置６０のように、係合片６４２を上框２１，３１の被係合孔３１２に係合して固定するような構成によれば、ラッチ装置６０の取付作業を一層容易化することができる。
【００３６】
なお、本発明は、前記実施形態に限定されるものではなく、本発明の目的を達成できる他の構成等を含み、以下に示すような変形等も本発明に含まれる。
例えば、前記実施形態においては、上げ下げ窓１が上下一対の２枚の可動障子（上部障子２０および下部障子３０）を有して構成されていたが、これに限らず、１枚の可動障子を有して構成されていてもよく、３枚以上の可動障子を有して構成されていてもよい。
１枚の可動障子を有して構成されたものとしては、図９に示すようなシングルハングの上げ下げ窓１Ａが例示可能である。
【００３７】
すなわち、上げ下げ窓１Ａは、前記実施形態と略同様の窓枠１０および下部障子３０と、窓枠１０に固定された上部障子（固定障子）４０と、この上部障子４０の下側で下部障子３０の室外側に固定された網戸４６とを有して構成されている。上部障子４０は、前記実施形態の上部障子２０と略同様の上框４１、下框４２、および左右の縦框４３を四周框組みし、その内部にガラスパネル４４を嵌め込んで構成され、上框４１および縦框４３がそれぞれ上枠１１および縦枠１３に固定部材４５を介して固定されている。このような上げ下げ窓１Ａにおいて、下部障子３０は、上下スライド開閉可能かつ内倒し可能に構成されており、下部障子３０の上端部左右両端（上框３１の左右両端部と縦框３３の上端部）には、前述と同様のラッチ装置５０，６０，６０Ａが取り付けられている。
【００３８】
また、１枚の可動障子を有して構成されたものとしては、図９に示すような固定障子４０を有したものに限らず、ガラスパネル等の面材が窓枠１０に直接固定されたものでもよく、さらには、障子や面材が突き出し形式や外開き形式等で開閉可能に構成されていてもよい。
また、前記第１実施形態では、ラッチ装置５０のつまみ部５５をラッチボルト５１（係止部）から外した状態で、ラッチボルト５１をケース部５２に挿入するとともに、ラッチ本体５６を第２挿通孔２３１，３３１から挿入してカバー部５４に嵌合させるような構成および組立手順としたが、このような構成に限定されない。すなわち、係止部に対して上下に突没自在かつばねで上方に付勢された状態でつまみ部を係止部に取り付けておき、ケース部に挿入する際、およびラッチ本体を第２挿通孔およびカバー部（支持体）に嵌合させる際に、つまみ部を下方に没入させるように構成すれば、ラッチ本体につまみ部を取り付けた状態で取付作業が実施でき、作業効率を向上させることができる。
【００３９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４０】
【図１】本発明の第１実施形態に係る建具を示す縦断面図である。
【図２】前記建具を示す横断面図である。
【図３】前記建具における障子の一部を拡大して示す断面図である。
【図４】前記障子に設けられたラッチ装置を示す斜視図である。
【図５】前記ラッチ装置を示す分解斜視図である。
【図６】本発明の第２実施形態に係る建具における障子の一部を示す斜視図である。
【図７】前記障子の一部を拡大して示す断面図である。
【図８】前記実施形態のラッチ装置の他の形態を示す断面図である。
【図９】本発明の変形例に係る建具を示す縦断面図である。
【符号の説明】
【００４１】
１０…窓枠、１１…上枠、１２…下枠、１３…縦枠、２０…上部障子、３０…下部障子、２１，３１…上框、２２，３２…下框、２３，３３…縦框、２４，３４…面材であるガラスパネル、５０，６０，６０Ａ…ラッチ装置、５１、６１…係止部であるラッチボルト、５２，６２…ケース部、５３，６３…付勢手段であるコイルばね、５４…支持体であるカバー部、５５，６１１…操作部であるつまみ部、５６…ラッチ本体、６４…カバー部、６５…ビス、２１１，３１１…第１挿通孔、２３１，３３１…第２挿通孔、５２５…係合手段である係合片、５４４，６４１…案内孔、６４２…係合手段である係合片。
【図１】
0004690210.tif 000002
【図２】
0004690210.tif 000003
【図３】
0004690210.tif 000004
【図４】
0004690210.tif 000005
【図５】
0004690210.tif 000006
【図６】
0004690210.tif 000007
【図７】
0004690210.tif 000008
【図８】
0004690210.tif 000009
【図９】
0004690210.tif 000010